(57)【特許請求の範囲】
【請求項１】
冷凍コンテナ（２０）の管理を行う冷凍コンテナ管理システムであって、
前記冷凍コンテナは、
貨物を内部に収容するコンテナボックス（３０）と、
前記コンテナボックス内を冷却する冷凍ユニット（４３）と、該冷凍ユニットを制御するとともに携帯端末（５０）と無線通信を行うコントローラ（４４）と、を有する冷凍機（４０）と、を備え、
前記コントローラは、前記携帯端末との無線通信における自己の識別情報として、前記冷凍コンテナを識別するために予め定められているコンテナＩＤ（３１）を用いるものであって、
前記携帯端末の表示部（５４）に表示させる表示コンテナＩＤ（３２１，３２３，３２６）を、前記携帯端末を特定する情報と関連付けて格納する格納部（ＳＶ）を備え、
前記携帯端末の表示部は、前記表示コンテナＩＤのみを表示することを特徴とする冷凍コンテナ管理システム。
【請求項２】
前記冷凍機は、前記コントローラに前記冷凍コンテナに関する情報が入力される工程において、無線通信における自己の識別情報として前記コンテナＩＤが入力されることで構成されていることを特徴とする請求項１に記載の冷凍コンテナ管理システム。
【請求項３】
前記コントローラと前記携帯端末とは、ＩＥＥＥ８０２．１１規格に基づく無線通信を行うことを特徴とする請求項１に記載の冷凍コンテナ管理システム。
【発明の詳細な説明】
【技術分野】
【０００１】
本発明は、冷凍コンテナの管理を行う冷凍コンテナ管理システムに関する。
【背景技術】
【０００２】
内部に貨物を収容し、船舶や航空機で輸送される輸送用コンテナの一形態として、「冷凍コンテナ」と称されるものが知られている。冷凍コンテナには、箱状のコンテナボックス内の冷却や保温を行う冷凍機が設けられている。冷凍コンテナは、当該冷凍機によってコンテナボックス内が目標温度や目標湿度に保たれるものであって、生鮮食品、冷凍食品、生花や、化学製品、医薬品、電子部品、フィルム、美術品など、温度や湿度の管理が必要な貨物の輸送に広く用いられている。
【０００３】
下記特許文献１には、このような冷凍コンテナの管理を行う装置が提案されている。当該装置では、複数の冷凍コンテナと通信可能なコンピュータが設けられている。冷凍コンテナの管理者は、このコンピュータを操作することによって、各冷凍コンテナから離れた場所で、コンテナボックス内の目標温度等を変更したり、温度変化を監視したり、故障検出を行ったりすることができる。当該装置は、管理者が移動することなく各冷凍コンテナの管理を行うことを可能とするものであり、管理者の作業負担を軽減することができる点で有益なものである。
【０００４】
一方で、管理者が各冷凍コンテナの付近に移動するとともに、各冷凍コンテナの外観に異常が生じていないか目視で確認しながら、各冷凍コンテナの管理を行いたいという要請も、依然として存在する。この場合、管理者は、各冷凍コンテナの外側面に設けられている操作部を操作することによって、コンテナボックス内の目標温度の変更等を行うことになる。
【０００５】
しかしながら、このように各冷凍コンテナに設けられている操作部を操作する場合、管理者の作業負担は大きなものとなる。特に、コンテナヤードや船舶上において、積み上げられた多数の冷凍コンテナに対してこのような操作を行う場合、管理者は上部のコンテナに手が届き難い。
【０００６】
そこで、本発明者らは、携帯端末の操作によって管理を行うことが可能な冷凍コンテナ及び冷凍コンテナ管理システムについて検討を行った。詳細には、当該携帯端末は、表示部を有しており、冷凍コンテナの冷凍機と無線による通信が可能なものである。管理者は、コンテナボックス内の状態を表示部の表示内容によって把握するとともに、冷凍コンテナ付近で手元の携帯端末を操作することによって、コンテナボックス内の目標温度の設定等を行うことができる。このような冷凍コンテナ及び冷凍コンテナ管理システムの実現により、管理者は冷凍コンテナ付近でその外観を目視で確認しながらも、作業負担を軽減することが可能となる。
【先行技術文献】
【特許文献】
【０００７】
【特許文献１】特表２０１３−５２２１４２号公報
【発明の概要】
【発明が解決しようとする課題】
【０００８】
しかしながら、このような冷凍コンテナ及び冷凍コンテナ管理システムでは、管理者が、自身の付近に存在する複数の冷凍コンテナのうち、いずれと無線通信を行っているかを判別することが困難になるという課題があった。以下、この課題について詳述する。
【０００９】
無線通信に用いられる無線通信処理チップでは、その製造時に、無線通信における識別情報として自己の製造番号が入力されることが一般的である。この場合、管理者が携帯端末を操作し、無線通信可能な冷凍コンテナの検索を行うと、携帯端末の表示部には無線通信処理チップの製造番号が通知されることとなる。
【００１０】
数値や英文字等を羅列した無線通信処理チップの製造番号は、製造者にとっては有意なものの、管理者にとっては識別力が無いものである。このため、管理者が、携帯端末に通知された当該製造番号に基づいて、無線通信の相手方となる冷凍コンテナを判別することは困難となる。
【００１１】
本発明はこのような課題に鑑みてなされたものであり、その目的は、冷凍コンテナの管理を無線通信によって行いながらも、無線通信の相手方となる冷凍コンテナを容易に判別することが可能な冷凍コンテナ管理システムを提供することにある。
【課題を解決するための手段】
【００１２】
上記課題を解決するために、本発明に係る冷凍コンテナ管理システムにより管理される冷凍コンテナ（２０）は、貨物を内部に収容するコンテナボックス（３０）と、前記コンテナボックス内を冷却する冷凍ユニット（４３）と、該冷凍ユニットを制御するとともに携帯端末（５０）と無線通信を行うコントローラ（４４）と、を有する冷凍機（４０）と、を備える。前記コントローラは、前記携帯端末との無線通信における自己の識別情報として、前記冷凍コンテナを識別するために予め定められているコンテナＩＤ（３１）を用いる。
【００１３】
ＩＳＯ６３４６規格の要請により、輸送用のコンテナには、それぞれコンテナＩＤ（「シリアルナンバー」とも称される）を付与する必要がある。当該コンテナＩＤは、それぞれのコンテナに固有のものであり、コンテナの外側面に表示する必要がある。
【００１４】
本発明では、コントローラは、コンテナＩＤを自己の識別情報として用いて無線通信を行う。このため、携帯端末には、コントローラの識別情報としてコンテナＩＤが通知される。前述したように、コンテナＩＤは冷凍コンテナの外部に表示されている。したがって、携帯端末を操作する管理者は、現物の冷凍コンテナに表示されたコンテナＩＤと、携帯端末に通知されたコンテナＩＤとを照合することにより、無線通信の相手方となる冷凍コンテナを容易に判別することが可能となる。
【００１５】
また、本発明に係る冷凍コンテナ管理システム（１０）は、前記携帯端末の表示部（５４）に表示させる表示コンテナＩＤを、前記携帯端末を特定する情報と関連付けて格納する格納部を備える。前記携帯端末の表示部は、前記表示コンテナＩＤのみを表示する。
【００１６】
本発明によれば、携帯端末の表示部は、格納部に格納されている表示コンテナＩＤのみを表示する。したがって、携帯端末を操作する管理者は、当該携帯端末５０によって管理可能な冷凍コンテナを容易に判別することが可能となる。
【発明の効果】
【００１９】
本発明によれば、冷凍コンテナの管理を無線通信によって行いながらも、無線通信の相手方となる冷凍コンテナを容易に判別することが可能な冷凍コンテナ管理システムを提供することができる。
【図面の簡単な説明】
【００２０】
【図１】本発明の実施形態に係る冷凍コンテナ、冷凍コンテナ管理システム及びコントローラを示す概略図である。
【図２】図１に示す冷凍機の機能的構成を示すブロック図である。
【図３】図１に示す冷凍コンテナの製造工程を説明する説明図である。
【図４】図１に示す携帯端末の表示部の表示内容を示す模式図である。
【発明を実施するための形態】
【００２１】
以下、添付図面を参照しながら本発明の実施形態について説明する。説明の理解を容易にするため、各図面において同一の構成要素に対しては可能な限り同一の符号を付して、重複する説明は省略する。
【００２２】
まず、図１及び図２を参照しながら、本発明の実施形態に係る冷凍コンテナ管理システム１０と、冷凍コンテナ２０と、コントローラ４４の概略を説明する。冷凍コンテナ管理システム１０は、冷凍コンテナ２０と、携帯端末５０と、を有している。
【００２３】
冷凍コンテナ２０は、貨物を収容するとともに、船舶や航空機によって輸送されるコンテナである。図１は、コンテナヤード等において、複数の冷凍コンテナ２１〜２６が集積された状態を示している。冷凍コンテナ２０は、コンテナボックス３０と、冷凍機４０と、を有している。
【００２４】
コンテナボックス３０は、鋼鉄やアルミニウムによって構成された直方体形状の容器であり、その内部に貨物を収容する空間（不図示）が形成されている。コンテナボックス３０の寸法は規格によって定められている場合もあるが、本発明では特に限定されない。このコンテナボックス３０は、冷凍コンテナ２０に用いられることから、断熱性能を有する断熱材（不図示）が内部に配置されている。当該断熱材は、コンテナボックス３０内の貨物を、外部の温度変化から保護している。
【００２５】
冷凍機４０は、コンテナボックス３０内の冷却を行う装置であり、コンテナボックス３０の一側部に取り付けられている。冷凍機４０は、表示装置４１と、操作装置４２と、を有している。また、図２に示されるように、冷凍機４０は、冷凍ユニット４３と、コントローラ４４と、を有している。
【００２６】
表示装置４１は、液晶パネルであって、冷凍機４０の外側面に配置されている。表示装置４１は、コンテナボックス３０内の温度や目標温度、湿度や目標湿度、冷凍コンテナ２０の故障に関する情報等、種々の情報を表示可能とされている。
【００２７】
操作装置４２は、冷凍コンテナ２０の管理者Ｕが手動操作するための複数のボタン（不図示）が配置されたキーパッドである。操作装置４２は、冷凍機４０の外側面で、表示装置４１の近傍に配置されている。管理者Ｕは、操作装置４２のボタンの操作によって、表示装置４１に種々の情報を表示させたり、コンテナボックス３０内の目標温度や目標湿度を変更したりすることができる。
【００２８】
冷凍ユニット４３は、コンテナボックス３０内の空気の冷却を行うユニットである。冷凍ユニット４３は、ファン４３１と、コンデンサ４３２と、バッテリ４３３と、を有している。ファン４３１は、電力の供給を受けて回転駆動し、コンテナボックス３０内の空気を吸引するとともに、当該空気をコンテナボックス３０内に吹き出すように構成されている。また、コンデンサ４３２は、熱交換器であり、ファン４３１によってコンテナボックス３０内に吹き出される空気を冷却し、その温度を低下させる。バッテリ４３３は、充電及び放電が可能な二次電池である。バッテリ４３３は、放電することによって、ファン４３１や表示装置４１等に駆動用の電力を供給する。
【００２９】
コントローラ４４は、表示装置４１、操作装置４２及び冷凍ユニット４３と電気的に接続されている電子制御装置である。コントローラ４４は、表示装置４１や冷凍ユニット４３を制御するほか、操作装置４２から管理者Ｕが行った操作に対応する信号を受信する。コントローラ４４は、マイクロコンピュータ４４１と、無線通信処理チップ４４４と、を有している。
【００３０】
マイクロコンピュータ４４１は、所定の演算を行う演算装置である。マイクロコンピュータ４４１は、各種情報を記憶するメモリ４４２を有している。マイクロコンピュータ４４１は、その製造時に外部のパーソナルコンピュータ９０と接続され、当該パーソナルコンピュータ９０から提供される所定の情報をメモリ４４２に記憶させる。例えば、メモリ４４２は、製造者や製造番号等の冷凍コンテナ２０に関する情報であるコンテナ情報４４３を記憶する。マイクロコンピュータ４４１は、メモリ４４２が記憶している情報に基づいて所定の演算を行うことで、表示装置４１や冷凍ユニット４３を制御する。
【００３１】
無線通信処理チップ４４４は、後述する携帯端末５０との無線通信を行う機器である。具体的には、無線通信処理チップ４４４は、携帯端末５０とＩＥＥＥ８０２．１１規格に基づく無線通信を行う。無線通信処理チップ４４４は、当該無線通信における自己の識別情報として、ＳＳＩＤ（Service Set Identifier：サービスセット識別子）４４５を用いる。以下の説明では、無線通信処理チップ４４４が無線通信に用いるこのＳＳＩＤ４４５のことを「コントローラ４４のＳＳＩＤ４４５」と称することがある。
【００３２】
携帯端末５０は、冷凍コンテナ２０の管理者Ｕが携帯する電子機器である。管理者Ｕは、この携帯端末５０を操作することで冷凍コンテナ２０の管理を行うが、図１に示された冷凍コンテナ２１〜２６の全ての管理を行うことができるわけではない。換言すれば、携帯端末５０によって管理する権限が与えられている冷凍コンテナ２０は限られている。携帯端末５０は、通信部５１と、メモリ部５２と、照合部５３と、表示部５４と、操作部５５と、を有している。
【００３３】
尚、図１では、携帯端末５０を機能的な制御ブロック図として示している。携帯端末５０を構成するアナログ回路又はデジタルプロセッサに組み込まれるソフトウェアのモジュールは、必ずしも図１に示す制御ブロックに分割されている必要はない。すなわち、モジュールは複数の制御ブロックの働きをするものとして構成されていても構わず、更に細分化されていても構わない。後述する処理を実行できるように構成されていれば、携帯端末５０の内部の実際の構成は当業者が適宜変更できるものである。
【００３４】
通信部５１は、前述した冷凍機４０の無線通信処理チップ４４４と無線通信を行う部分である。前述したように、通信部５１は、無線通信処理チップ４４４とＩＥＥＥ８０２．１１規格に基づく無線通信を行う。
【００３５】
また、通信部５１は、通信事業者が提供する回線を介して、サーバＳＶと無線通信を行うこともできる。このサーバＳＶは、冷凍コンテナ２０の管理業者等によって管理、運営されるものであって、種々の情報を格納している。具体的には、サーバＳＶは、携帯端末５０を特定する情報と、この携帯端末５０によって管理する権限を与えられている冷凍コンテナ２０のコントローラ４４のＳＳＩＤ４４５と、を関連付けて格納している。携帯端末５０は、前述した回線を介してサーバＳＶにアクセスすることによって、これらの情報の提供を受けることが可能となる。
【００３６】
メモリ部５２は、所定の情報を記憶する記憶装置であり、記憶している情報は適宜書き換えることが可能となっている。メモリ部５２は、前述したようにサーバＳＶから提供された情報を記憶可能である。
【００３７】
照合部５３は、情報の照合を行う部分である。具体的には、照合部５３は、携帯端末５０によって管理する権限を与えられている冷凍コンテナ２０のコントローラ４４のＳＳＩＤ４４５と、発している電波を受信可能な状態にある冷凍コンテナ２０のコントローラ４４のＳＳＩＤ４４５と、の照合を行う。
【００３８】
表示部５４は、液晶パネルであって、携帯端末５０の外側面に配置される。表示部５４は、メモリ部５２に記憶されている情報や、無線通信を行っている冷凍機４０が取り付けられたコンテナボックス３０内の情報等が表示される。
【００３９】
操作部５５は、冷凍コンテナ２０の管理者Ｕが携帯端末５０を操作するために設けられた部分である。操作部５５は、携帯端末５０の外側面に配置される。本実施形態では、操作部５５は表示部５４と一体になった静電容量方式のタッチパネルである。したがって、携帯端末５０を携帯する管理者Ｕは、表示部５４の表示内容を手指で直接触れることによって、携帯端末５０を操作することができる。
【００４０】
次に、図３を参照しながら、冷凍コンテナ２０の製造工程について説明する。冷凍コンテナ２０のコンテナボックス３０と冷凍機４０とは、互いに異なる製造業者によって製造される。また、冷凍機４０の冷凍ユニット４３とコントローラ４４とも、互いに異なる製造業者によって製造される。
【００４１】
まず、コンテナボックス３０の製造工程について説明すると、図３に示されるステップＳ１１で、コンテナボックス３０の組立が行われる。このステップＳ１１では、複数の鋼板を互いに溶接等することによって、直方体形状のコンテナボックス３０の組立を行う。また、前述したように、コンテナボックス３０の内部に断熱材を配置する。
【００４２】
次に、ステップＳ１２で、各コンテナボックス３０にコンテナＩＤ３１を付番する（図１参照）。当該コンテナＩＤ３１は「シリアルナンバー」とも称され、ＩＳＯ６３４６規格に準拠して、コンテナの外側面に視認できるように表示する必要がある固有の識別情報である。具体的には、図１に示されるように、冷凍コンテナ２０の冷凍機４０に表示される。コンテナボックス３０にコンテナＩＤ３１が付番されることにより、コンテナボックス３０が完成する。
【００４３】
次に、冷凍機４０の製造工程について説明すると、図３に示されるステップＳ２１で、冷凍ユニット４３の組立が行われる。このステップＳ２１では、前述したファン４３１と、コンデンサ４３２と、バッテリ４３３とのユニット化が行われる。
【００４４】
一方、コントローラ４４の製造工程では、まず、ステップＳ３１で、電子基板の製造が行われる。具体的には、ステップＳ３１で、基板上に複数の電子部品が実装されるとともに、それらを電気的に接続する配線がプリントされる。このステップＳ３１で基板に実装される電子部品の一つが、前述した無線通信処理チップ４４４である。
【００４５】
次に、ステップＳ３２で、無線通信処理チップ４４４にＳＳＩＤ４４５（図２参照）が登録される。このＳＳＩＤ４４５の登録は、製造工程において無線通信処理チップ４４４と接続されるコンピュータ（不図示）によって行われる。ここで登録されるＳＳＩＤ４４５は、暫定的に無線通信処理チップ４４４の製品番号とされている。このように電子基板の製造並びに無線通信処理チップ４４４へのＳＳＩＤ４４５の登録を終えることで、コントローラ４４が完成する。
【００４６】
再び冷凍機４０の製造工程に戻って説明すると、次のステップＳ２２で、既に組み立てた冷凍ユニット４３と、完成したコントローラ４４とをアセンブリする。具体的には、冷凍ユニット４３とコントローラ４４との間で制御信号の送受信が可能となるように、両者を互いに電気的に接続する。このステップＳ２２におけるアセンブリ作業を経て、冷凍機が完成する。
【００４７】
尚、本願において「電気的に接続」とは、有線によって接続された状態に限定されるものではなく、無線により互いに通信可能とされた状態をも含みうるものとする。
【００４８】
次に、ステップＳ２３で、コンテナボックス３０と、冷凍機４０と、をアセンブリする。具体的には、図１に示したように冷凍機４０をコンテナボックス３０の一側部に取り付けて一体にするとともに、コンテナボックス３０内の空気を冷凍ユニット４３によって冷却することが可能となるように構成する。
【００４９】
次に、ステップＳ２４で、冷凍機４０のコントローラ４４にコンテナ情報４４３（図２参照）の書き込みを行う。具体的には、コントローラ４４のメモリ４４２（図２参照）に、製造者や製造番号等の冷凍コンテナ２０に関する情報であるコンテナ情報４４３を記憶される。
【００５０】
また、このステップＳ２４では、無線通信処理チップ４４４のＳＳＩＤ４４５（図２参照）を、ステップＳ１２でコンテナボックス３０に付番したコンテナＩＤ３１（図１参照）に書き換える。前述したように、無線通信処理チップ４４４のＳＳＩＤ４４５は、暫定的に無線通信処理チップ４４４の製品番号とされているが、ステップＳ２４では、この製品番号をコンテナＩＤ３１に書き換える。
【００５１】
ステップＳ２４におけるメモリ４４２へのコンテナ情報４４３の書き込みや、無線通信処理チップ４４４のＳＳＩＤ４４５の書き換えは、いずれも製造工程においてコントローラ４４と一時的に接続されるパーソナルコンピュータ９０（図２参照）によって行われる。
【００５２】
続いて、図１及び図４を参照しながら、携帯端末５０の表示部５４に表示される情報について説明する。図４は、図１に示したように、管理者Ｕが冷凍コンテナ２１〜２６の付近に居る場合に、携帯端末５０の表示部５４に表示される内容を示している。
【００５３】
本実施形態では、冷凍コンテナ２１〜２６のコントローラ４４は、いずれもＩＥＥＥ８０２．１１規格に基づく無線通信を行う機能を有しているものの、管理者Ｕが携帯端末５０によって管理する権限を与えられているのは、このうち冷凍コンテナ２１，２３，２６のみであるとする。この場合、携帯端末５０のメモリ部５２には、管理権限が与えられている冷凍コンテナ２１，２３，２６のコントローラ４４のＳＳＩＤ４４５（図２参照）が記憶されている。当該ＳＳＩＤ４４５は、携帯端末５０が予めサーバＳＶにアクセスすることによって提供されたものである。
【００５４】
管理者Ｕは、冷凍コンテナ２１，２３，２６の管理を開始するにあたり、携帯端末５０がＩＥＥＥ８０２．１１規格に基づく無線通信を行うことが可能な相手方の検索を行う。ここでいう「無線通信を行うことが可能」とは、無線通信を行う権限を与えられていることを意味するものではなく、互いに発する電波を受信できる距離にあることを意味する。図１に示される例では、携帯端末５０は、冷凍コンテナ２１〜２６のコントローラ４４と互いに発する電波を受信できる距離にあり、無線通信を行うことが可能な状態にある。この場合、携帯端末５０の通信部５１には、冷凍コンテナ２１〜２６のコントローラ４４のそれぞれのＳＳＩＤ４４５が通知される。
【００５５】
次に、携帯端末５０の照合部５３は、通知された冷凍コンテナ２１〜２６のコントローラ４４のＳＳＩＤ４４５と、メモリ部５２に記憶されているＳＳＩＤ４４５との照合を行う。前述したように、メモリ部５２に記憶されているＳＳＩＤ４４５は、携帯端末５０によって管理する権限が与えられている冷凍コンテナ２１，２３，２６のコントローラ４４のものである。したがって、照合部５３における照合では、冷凍コンテナ２１，２３，２６のコントローラ４４のＳＳＩＤ４４５が、無線通信を行うことが可能であって、且つ、管理権限が与えられている冷凍コンテナ２０のものとして抽出される。
【００５６】
次に、携帯端末５０の表示部５４は、冷凍コンテナ２１，２３，２６のコントローラ４４のＳＳＩＤ４４５を一覧で表示する。前述したように、各冷凍コンテナ２０のコントローラ４４のＳＳＩＤ４４５には、当該各冷凍コンテナ２０のコンテナＩＤが登録されている。したがって、図４に示されるように、表示部５４には、冷凍コンテナ２１，２３，２６のコンテナＩＤ３２１，３２３，３２６が一覧で表示される。
【００５７】
管理者Ｕは、表示部５４に表示された冷凍コンテナ２１，２３，２６のコンテナＩＤ３２１，３２３，３２６のいずれかを手指で触れることによって、その管理を開始することができる。これにより、コンテナボックス３０内の温度や湿度を取得したり、目標温度や目標湿度を変更したり、故障検出を行ったりすることが可能となる。
【００５８】
以上のように、冷凍コンテナ２０は、貨物を内部に収容するコンテナボックス３０と、コンテナボックス内を冷却する冷凍機４０と、冷凍機４０を制御するとともに、携帯端末５０と無線通信を実行するコントローラ４４と、を備えている。また、コントローラ４４は、携帯端末５０との無線通信における自己の識別情報として、冷凍コンテナ２０を識別するために予め定められているコンテナＩＤ３１を用いる。
【００５９】
冷凍コンテナ２０では、コントローラ４４は、コンテナＩＤを自己の識別情報として用いて無線通信を行う。このため、携帯端末５０には、コントローラ４４の識別情報としてコンテナＩＤ３１が通知される。前述したようにコンテナＩＤ３１は冷凍コンテナ２０の外部に表示される。したがって、携帯端末５０を操作する管理者Ｕは、現物の冷凍コンテナ２０に表示されたコンテナＩＤ３１と、携帯端末５０に通知されたコンテナＩＤ３１とを照合することにより、無線通信の相手方となる冷凍コンテナ２０を容易に判別することが可能となる。
【００６０】
また、冷凍コンテナ２０は、コントローラ４４に冷凍コンテナ２０に関する情報が入力される工程において、無線通信における自己の識別情報としてコンテナＩＤ３１が入力されることで構成されている。一般的に、冷凍コンテナでは、そのコントローラに、製造者や製造番号等の、冷凍コンテナに関するコンテナ情報が登録される。本実施形態に係る冷凍コンテナ２０では、コントローラ４４のメモリ４４２にコンテナ情報４４３を記憶させる工程において、無線通信処理チップ４４４にＳＳＩＤ４４５（コンテナＩＤ３１）の入力が行われる。したがって、冷凍コンテナ２０を製造する際の工程を増やすことなく、無線通信における自己の識別情報としてコンテナＩＤ３１を入力することが可能となる。
【００６１】
また、冷凍コンテナ２０の管理を行う冷凍コンテナ管理システム１０は、携帯端末５０の表示部５４に表示させる表示コンテナＩＤを、携帯端末５０を特定する情報と関連付けて格納するサーバＳＶを備える。そして、携帯端末５０の表示部５４は、表示コンテナＩＤのみを表示するこれにより、当該携帯端末５０の表示部５４は、サーバＳＶに格納されている表示コンテナＩＤのみを表示する。したがって、携帯端末５０を操作する管理者Ｕは、当該携帯端末５０によって管理可能な冷凍コンテナ２０を容易に判別することが可能となる。
【００６２】
また、冷凍コンテナ管理システム１０は、コントローラ４４と携帯端末５０とは、ＩＥＥＥ８０２．１１規格に基づく無線通信を行う。これにより、コントローラ４４と携帯端末５０とは、他の方式の無線と比較して長距離を隔てた無線通信を行うことが可能となる。したがって、多数の冷凍コンテナ２０が集積されたコンテナヤード等において、管理者Ｕが各冷凍コンテナ２０の付近に移動する負荷を軽減しながら、確実に無線通信を行うことが可能となる。
【００６３】
また、コントローラ４４は、予め定められた規格であるＩＥＥＥ８０２．１１規格に基づいて携帯端末５０との無線通信を行う無線通信処理チップ４４４を備える。コントローラ４４は、携帯端末５０との無線通信における自己の識別情報として、冷凍コンテナ２０を識別するために予め定められているコンテナＩＤ３１を用いる。これにより、前述したように、携帯端末５０を操作する管理者Ｕは、現物の冷凍コンテナ２０に表示されたコンテナＩＤ３１と、携帯端末５０に通知されたコンテナＩＤ３１とを照合することにより、無線通信の相手方となる冷凍コンテナ２０を容易に判別することが可能となる。
【００６４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【符号の説明】
【００６５】
１０：冷凍コンテナ管理システム
２０〜２６：冷凍コンテナ
３０：コンテナボックス
３１：コンテナＩＤ
３２１，３２３，３２６：コンテナＩＤ（表示コンテナＩＤ）
４０：冷凍機
４３：冷凍ユニット
４４：コントローラ
５０：携帯端末
５４：表示部
４４４：無線通信処理チップ（無線通信処理部）
ＳＶ：管理サーバ（格納部）
【図１】
0006458636.tif 000002
【図２】
0006458636.tif 000003
【図３】
0006458636.tif 000004
【図４】
0006458636.tif 000005